(57)【要約】【課題】軸方向において構造断面が徐々に変化する地中構造物を効率よく、安全に構築できるエレメント挿入工法、地中構造物の構築工法、補助カバー、テーパーエレメント及び地中構造物を提供することを目的とする【解決手段】連結継手１１で連結方向Ｘに連結しながら地山４００に挿入するエレメント挿入工法において、挿入方向先端側Ｌａの端部（エレメント先端幅１０Ｗａ）から挿入方向基端側Ｌｂの端部（エレメント基端幅１０Ｗｂ）に向かって連結方向Ｘのエレメント幅１０Ｗが徐々に変化するテーパーエレメント１０ａで構成するとともに、連結方向前側Ｘａに、幅広のエレメント先端幅１０Ｗａとの差分に対応するカバー幅３０Ｗを有する補助カバー３０を着脱自在に備えたテーパーエレメント１０ａを、挿入方向Ｌの先端に配置し、幅広のエレメント先端幅１０Ｗａに対応する幅の刃口２０で地山４００を掘削して挿入する【選択図】図６
2018025043.tif 000002
【特許請求の範囲】
【請求項１】
地山に挿入された長尺状のエレメントに対して、継手で連結しながら連結方向に隣接するエレメントを前記地山に挿入するエレメント挿入工法であって、
前記エレメントを、
挿入方向の一端側の幅広端部から他端側の幅狭端部に向かって連結方向のエレメント幅が徐々に変化するテーパーエレメントで構成するとともに、
連結方向前側に、前記幅広端部のエレメント幅との差分に対応するカバー幅を有する補助カバーを着脱自在に備え、
前記テーパーエレメントの挿入方向先端に配置した、前記幅広端部の前記エレメント幅に対応する幅の掘削部で前記地山を掘削し、前記補助カバーが前記連結方向前側に装着された前記テーパーエレメントを前記地山に挿入する
エレメント挿入工法。
【請求項２】
前記テーパーエレメントにおける挿入方向先端側を前記幅広端部とし、挿入方向基端側を前記幅狭端部とした
請求項１に記載のエレメント挿入工法。
【請求項３】
前記地山への挿入に伴って、挿入済みの前記テーパーエレメントに装着された前記補助カバーを取り外す
請求項１または２に記載のエレメント挿入工法。
【請求項４】
前記継手を、
前記連結方向及び前記挿入方向に対して交差する連結交差方向に所定の間隔を隔てて配置されるとともに、前記連結方向の両端部に備えられ、前記挿入方向に沿う断面略Ｃ字形の嵌合継手で構成し、
前記エレメント幅を、前記連結方向の両端部に備えた前記嵌合継手同士の間隔とし、
前記補助カバーが、
前記連結交差方向に所定の間隔を隔てて配置された前記嵌合継手同士の間に配置されるとともに、前記連結方向前側に突出する
請求項１乃至請求項３のうちいずれかに記載のエレメント挿入工法。
【請求項５】
請求項１乃至４のうちいずれかに記載のエレメント挿入工法によって、前記地山に前記テーパーエレメントを連結しながら挿入し、
前記エレメント内部に充填材を充填して地山内に構造物を構築する
地中構造物の構築工法。
【請求項６】
挿入済みの長尺状のエレメントに対して、継手で連結しながら地山に挿入されるエレメントのエレメント幅が挿入方向の一端側の幅広端部から他端側の幅狭端部に向かって徐々に変化するテーパーエレメントにおける連結方向前側に直脱自在に設けられ、
前記幅広端部のエレメント幅との差分に対応するカバー幅を有する
補助カバー。
【請求項７】
前記継手は、
前記連結方向及び前記挿入方向に対して交差する連結交差方向に所定の間隔を隔てて配置されるとともに、前記連結方向の両端部に備えられ、前記挿入方向に沿う断面略Ｃ字形の嵌合継手で構成され、
前記エレメント幅を、前記連結方向の両端部に備えた前記嵌合継手同士の間隔とし、
連結交差方向に所定の間隔を隔てて配置された前記嵌合継手同士の間に配置されるとともに、前記連結方向前側に突出した
請求項６に記載の補助カバー。
【請求項８】
挿入済みの長尺状のエレメントに対して、継手で連結しながら地山に挿入され、
エレメント幅が挿入方向の一端側の幅広端部から他端側の幅狭端部に向かって徐々に変化するとともに、
前記幅広端部のエレメント幅との差分に対応するカバー幅を有する補助カバーが連結方向前側に直脱自在に設けられた
テーパーエレメント。
【請求項９】
請求項８に記載のテーパーエレメントを、連結しながら前記地山に挿入し、
前記テーパーエレメントの内部に充填材を充填して地山内に構築された
地中構造物。
【発明の詳細な説明】
【技術分野】
【０００１】
例えば、敷設された軌道などの既設構造物の下方の地中（地山）に構造物を構築するためにエレメントを地山に挿入するエレメント挿入工法、地中構造物の構築工法、補助カバー、テーパーエレメント及び地中構造物に関する。
【背景技術】
【０００２】
従来から、軌道と道路や、軌道同士、あるいは道路同士などの立体交差化工法のうち、既設構造物の下方の地中部分に交差する地中構造物を構築するアンダーパス工法として、軌道等の既設構造物の下方に横断する方向で、先端側の掘削部で地山を掘削しながら矩形断面のエレメントを挿入し、地中構造物を構築する工法がある（特許文献１参照）。
【０００３】
曲線形上に設けられる地中構造物などの多様化や地中構造物が構築される周辺条件によって、トンネル軸方向の基端側と先端側とで開口形状などの構造断面が徐々に変化する地中構造物が求められているが、例えば、特許文献１では、軸方向に一様な構造断面の地中構造物が構築されるため、大きな構造断面に合わせて地中構造物を構築し、内装などによって所望の構造断面の地中構造物を構築することとなる。
【０００４】
この場合、大きな構造断面に合わせて地中構造物を構築するため、つまり、構造断面が徐々に変化する地中構造物に比べて余分に掘削することになるため、掘削土量は増大し、施工効率は悪く、経済性が低下することとなるおそれがあった。
【先行技術文献】
【特許文献】
【０００５】
【特許文献１】特開平６−２９９７８２号公報
【発明の概要】
【発明が解決しようとする課題】
【０００６】
そこで、この発明は、軸方向において構造断面が徐々に変化する地中構造物を効率よく、安全に構築できるエレメント挿入工法、地中構造物の構築工法、補助カバー、テーパーエレメント及び地中構造物を提供することを目的とする。
【課題を解決するための手段】
【０００７】
この発明は、地山に挿入された長尺状のエレメントに対して、継手で連結しながら連結方向に隣接するエレメントを前記地山に挿入するエレメント挿入工法であって、前記エレメントを、挿入方向の一端側の幅広端部から他端側の幅狭端部に向かって連結方向のエレメント幅が徐々に変化するテーパーエレメントで構成するとともに、連結方向前側に、前記幅広端部のエレメント幅との差分に対応するカバー幅を有する補助カバーを着脱自在に備え、前記テーパーエレメントの挿入方向の先端に配置した、前記幅広端部の前記エレメント幅に対応する幅の掘削部で前記地山を掘削し、前記補助カバーが前記連結方向前側に装着された前記テーパーエレメントを前記地山に挿入することを特徴とする。
【０００８】
またこの発明は、挿入済みの長尺状のエレメントに対して、継手で連結しながら地山に挿入されるエレメントのエレメント幅が挿入方向の一端側の幅広端部から他端側の幅狭端部に向かって徐々に変化するテーパーエレメントにおける連結方向前側に直脱自在に設けられ、前記幅広端部のエレメント幅との差分に対応するカバー幅を有する補助カバーであること、さらに、この発明は、挿入済みの長尺状のエレメントに対して、継手で連結しながら地山に挿入され、エレメント幅が挿入方向の一端側の幅広端部から他端側の幅狭端部に向かって徐々に変化するとともに、前記幅広端部のエレメント幅との差分に対応するカバー幅を有する補助カバーが連結方向前側に直脱自在に設けられたテーパーエレメントであることを特徴とする。
【０００９】
前記掘削部は、開放型の掘削装置における人力掘削や機械掘削、あるいは密閉型の掘削装置における機械掘削等による掘削部とすることができる。  
上記連結方向は、挿入方向に交差する方向であり、例えば、高さ方向や幅方向とすることができる。
【００１０】
上記連結方向前側は、地山に既に挿入されたテーパーエレメント（既挿入エレメント）に対して、継手で連結しながら挿入するテーパーエレメントの側である。したがって、連結方向後側は、逆側であり、継手で連結しながら挿入するテーパーエレメントに対する既挿入エレメントの側となる。
【００１１】
上述の挿入方向の一端側及び他端側は、一端側が発進側の端部である場合、他端側は到達側の端部となり、逆に、一端側が到達側の端部である場合、他端側は発進側の端部となる。  
上述の前記幅広端部のエレメント幅との差分に対応するカバー幅を有する補助カバーは、挿入方向の一端側の幅広端部から他端側の幅狭端部に向かって連結方向のエレメント幅が徐々に変化するテーパーエレメントのテーパー面に対して、逆向きのテーパー形状となる。
【００１２】
前記テーパーエレメントは、既挿入の挿入済みエレメントに連結しながら挿入する一般的なエレメントのみならず、地山に最初に挿入する基準エレメント、エレメントによって構成する地中構造物の隅角部を構成する隅角部エレメントなどであってもよい。また、テーパーエレメントは、地中構造物を構成する上床部、下床部のみならず、側壁部を構成してもよい。
【００１３】
また、前記テーパーエレメントは、連結方向の前側及び後ろ側の一方が挿入方向に対して斜め方向となる片テーパー状であってもよいし、連結方向の前側及び後ろ側の両方が挿入方向に対して斜め方向となる両テーパー状であってもよい。
【００１４】
この発明により、軸方向において構造断面が徐々に変化する地中構造物を効率よく、安全に構築することができる。  
詳述すると、挿入方向の一端側の幅広端部から他端側の幅狭端部に向かって連結方向のエレメント幅が徐々に変化するテーパーエレメントを挿入することで、軸方向において構造断面が徐々に変化する地中構造物を構築することができる。
【００１５】
また、挿入方向の一端側の幅広端部から他端側の幅狭端部に向かって連結方向のエレメント幅が徐々に変化するテーパーエレメントに対して、前記幅広端部のエレメント幅との差分に対応するカバー幅を有する補助カバーを装着することによって、補助カバーが装着されたテーパーエレメントは、見かけのエレメント幅が変化しない略矩形状となる。
【００１６】
そして、テーパーエレメントを地山に挿入するために、掘削部にて、幅広端部のエレメント幅に対応する掘削幅で掘削した地山に対してテーパーエレメントを挿入すると、幅狭端部の幅に合わせて掘削した場合に比べて効率よく挿入することができるものの、幅狭端部に近づくにつれてエレメントと掘削箇所との間に生じる掘削幅方向の空間が大きくなって掘削によって緩んだ周辺の地盤が崩落するおそれがある。これに対し、補助カバーを装着して見かけのエレメント幅が変化しない矩形状となったテーパーエレメントを挿入すると、地山の掘削箇所に対して大きな空間が生じることなく、掘削によって緩んだ周辺の地盤が崩落するおそれもない。
【００１７】
このように、掘削幅を幅広端部のエレメント幅に対応する掘削幅に合わせて掘削し、補助カバーを装着したテーパーエレメントを掘削箇所に挿入することで、掘削によって緩んだ周辺の地盤が崩落することもなく、効率よく挿入することができ、軸方向において構造断面が徐々に変化する地中構造物を効率よく、安全に構築することができる。
【００１８】
この発明の態様として、前記テーパーエレメントにおける挿入方向先端側を前記幅広端部とし、挿入方向基端側を前記幅狭端部とすることができる。  
この発明により、前記幅広端部の前記エレメント幅に対応する幅の掘削部を装着する挿入方向先端側が幅広端部であるため、幅狭端部に掘削部を装着する場合に比べて、テーパーエレメントに対して掘削部を安定して装着することができる。
【００１９】
またこの発明の態様として、前記地山への挿入に伴って、挿入済みの前記テーパーエレメントに装着された前記補助カバーを取り外すことができる。  
この発明により、幅広端部のエレメント幅に対応する掘削幅で掘削した地山に既に挿入された既挿入エレメントに装着した補助カバーを、後続のテーパーエレメントの挿入に伴って取り外すため、つまり、後続エレメントが挿入された挿入量に応じた補助カバーを後続のエレメント内部あるいは既挿入エレメント内部に取り込むため、既挿入エレメントに装着した補助カバーの取外しによって掘削箇所に大きな空間が生じて周辺地盤が崩落することなく、テーパーエレメントを挿入しながら安全に既挿入エレメントの補助カバーを取り外すことができる。
【００２０】
またこの発明の態様として、前記継手を、前記連結方向及び前記挿入方向に対して交差する連結交差方向に所定の間隔を隔てて配置されるとともに、前記連結方向の両端部に備えられ、前記挿入方向に沿う断面略Ｃ字形の嵌合継手で構成し、前記エレメント幅を、前記連結方向の両端部に備えた前記嵌合継手同士の間隔とし、前記補助カバーが、前記連結交差方向に所定の間隔を隔てて配置された前記嵌合継手同士の間に配置されるとともに、前記連結方向前側に突出することができる。
【００２１】
上述の前記連結方向及び前記挿入方向に対して交差する連結交差方向は、例えば、連結方向が水平方向である場合は高さ方向を示し、連結方向が高さ方向である場合は水平方向を示す。  
この発明により、テーパーエレメントに作用するせん断力を嵌合継手で伝達でき、挿入したテーパーエレメントを本設構造物として用いることができる。
【００２２】
また、前記補助カバーが、前記連結交差方向に所定の間隔を隔てて配置された前記嵌合継手同士の間に配置されるとともに、前記連結方向前側に突出するため、前記幅広端部のエレメント幅との差分に対応するカバー幅を有する補助カバーを容易に製造することができるとともに、テーパーエレメントに対して容易に着脱することができる。
【００２３】
なお、この発明の態様として、前記テーパーエレメントを、前記連結方向及び前記挿入方向に対して交差する連結交差方向に所定の間隔を隔てて配置された２枚のフランジ材と、連結方向前側において、２枚の前記フランジ材を前記連結交差方向に接続するウェブ材とで、矩形断面のうち三方向が少なくとも板材で囲われ、連結方向に向かって凹状となる断面凹型に形成としてもよい。
【００２４】
この場合、所望の強度を有するテーパーエレメントを構成することができるとともに、テーパーエレメントが、矩形断面のうち三方向が少なくとも板材で囲われ、連結方向後側に向かって凹状となる断面凹型であるため、既挿入エレメントの連結方向前側に装着された補助カバーを、連結方向後側に向かって凹状である挿入中のテーパーエレメントから容易に取り外すことができる。
【００２５】
またこの発明は、上述のエレメント挿入工法によって、前記地山に前記テーパーエレメントを連結しながら挿入し、前記エレメント内部に充填材を充填して地山内に構造物を構築する地中構造物の構築工法あるいは地中構造物であることを特徴とする。
【００２６】
前記地中構造物は、新幹線等の軌道の下方を横断するアンダーパス構造物、あるいは地下の共同溝等の地中構造物とすることができる。  
この発明により、施工性よくテーパーエレメントを挿入し、軸方向において構造断面が徐々に変化する地中構造物を効率よく、安全に構築することができる。
【００２７】
なお、上述したように、既挿入の挿入済みエレメントに連結しながら挿入する一般的なエレメントのみならず、地山に最初に挿入する基準エレメントや、エレメントによって構成する地中構造物の隅角部を構成する隅角部エレメントを前記テーパーエレメントで構成してもよく、また、地中構造物の上床部、下床部のみならず、側壁部をテーパーエレメントで構成してもよい。  
さらには、テーパーエレメントと挿入方向に平行な通常のエレメントとを組み合わせて用いたり、テーパー角度が異なるテーパーエレメントとを組み合わせて用いてもよい。
【発明の効果】
【００２８】
この発明によれば、軸方向において構造断面が徐々に変化する地中構造物を効率よく、安全に構築できるエレメント挿入工法、地中構造物の構築工法、補助カバー、テーパーエレメント及び地中構造物を提供することができる。
【図面の簡単な説明】
【００２９】
【図１】軌道下に構築する地下横断構造物の概略斜視図。
【図２】軌道下に構築する地下横断構造物の概略説明図。
【図３】軌道下に構築する地下横断構造物の概略正面図。
【図４】軌道下に構築する地下横断構造物の概略縦断面図。
【図５】角型鋼製エレメントについての概略説明図。
【図６】補助カバーを装着したテーパーエレメントの説明図。
【図７】エレメント挿入工に関するフローチャート。
【図８】エレメント挿入工についての概略斜視図。
【図９】エレメント挿入工についての説明図。
【図１０】エレメント挿入工についての説明図。
【図１１】別の実施例の地下横断構造物の概略平面図。
【発明を実施するための形態】
【００３０】
この発明の一実施形態を以下図面とともに説明する。  
図１は軌道２００の下方に構築する地下横断構造物３００についての概略斜視図を示し、図２は地下横断構造物３００の概略説明図を示し、図３は地下横断構造物３００の概略正面図を示し、図４は地下横断構造物３００の概略縦断面図を示し、図５は角型鋼製エレメント１０についての概略説明図を示し、図６は補助カバー３０を装着したテーパーエレメント１０ａの説明図を示している。
【００３１】
詳述すると、図２（ａ）の地下横断構造物３００の概略平面図を示し、図２（ｂ）は地下横断構造物３００の概略左側面図を示し、図２（ｃ）は地下横断構造物３００の概略右側面図を示している。  
図４は、複線の軌道２００の中間部分、つまり挿入方向Ｌの中間部分を省略して図示している。
【００３２】
図５（ａ）はテーパーエレメント１０ａの断面図を示し、図５（ｂ）は一般エレメント１０ｂの断面図を示し、図５（ｃ）は隅角部エレメント１０ｃの断面図を示し、図５（ｄ）は基準エレメント１０ｄの断面図を示し、図５（ｅ）は閉合エレメント１０ｅの断面図を示し、図５（ｆ）は連結状態のテーパーエレメント１０ａの断面図を示し、図５（ｇ）は嵌合状態の連結継手１１の拡大断面図を示している。
【００３３】
なお、図５（ｂ）は側壁部３００ｃを構成する一般エレメント１０ｂを図示しているため、連結方向Ｘが図５において縦方向となる向きで図示している。また、図５（ｅ）において、閉合エレメント１０ｅが連結する既挿入の角型鋼製エレメント１０の先端側連結継手１１ａを破線で図示している。
【００３４】
図６（ａ）の補助カバー３０が装着されたテーパーエレメント１０ａの概略平面図を示し、図６（ｂ）は補助カバー３０が装着されたテーパーエレメント１０ａの概略Ａ−Ａ断面図を示し、図６（ｃ）は補助カバー３０が装着されたテーパーエレメント１０ａの概略Ｂ−Ｂ断面図を示している。
【００３５】
図７はエレメント挿入工に関するフローチャートを示し、図８はエレメント挿入工についての概略斜視図を示し、図９及び図１０はエレメント挿入工についての説明図を示している。  
図８は、テーパーエレメント１０ａの中間部分、つまり挿入方向Ｌの中間部分を省略して図示するとともに、挿入するテーパーエレメント１０ａ内部での補助カバー３０の取外し状況を破線で図示している。
【００３６】
図９（ａ）は挿入済みの基準エレメント１０ｄの平面図を示し、図９（ｂ）は挿入済みの基準エレメント１０ｄに連結しながら挿入する後続のテーパーエレメント１０ａの挿入状態の平面図を示し、図９（ｃ）は後続のテーパーエレメント１０ａが挿入完了した状態の平面図を示している。  
【００３７】
図１０（ａ）は挿入済みのテーパーエレメント１０ａに連結しながら挿入するテーパーエレメント１０ａの平面図を示し、図１０（ｂ）はテーパーエレメント１０ａの挿入完了時の平面図を示している。
【００３８】
本発明のエレメント挿入方法は、軌道２００の下方の地山４００に地下横断構造物３００を構築するアンダーパス工法である。  
詳しくは、図１乃至図４に示すように、地山４００の上部に、路床４０１ａと路盤４０１ｂとを盛土して盛土部４０１を構成している。さらに、盛土部４０１の上にバラスト４０２を締め固め、枕木２０２を長さ方向に等間隔で載置し、枕木２０２の上に軌条２０１を固定して軌道２００を構成している。
【００３９】
軌道２００を横断する方向（図４において左右方向）に構築する地下横断構造物３００は、上床部３００ａが所定の土被りとなる位置で、地山４００に構築される矩形断面のボックスである。
【００４０】
また、地下横断構造物３００は、挿入方向Ｌの基端側（挿入方向基端側Ｌｂという）から挿入方向先端側Ｌａに向かって構造幅３００Ｗが徐々に広がる、つまり、挿入方向先端側Ｌａの構造幅３００Ｗａが挿入方向基端側Ｌｂの構造幅３００Ｗｂより広い、構造断面が徐々に変化する構造物である。
【００４１】
なお、図１乃至４において、連結した角型鋼製エレメント１０がむき出したままで地下横断構造物３００を図示しているが、地下横断構造物３００の用途に応じて、地下横断構造物３００の内部空間３００ｄや端部に舗装やコンクリートを構築して地下横断構造物３００を完成させる。
【００４２】
このように、地下横断構造物３００は、軌道２００の横断方向両側に予め建て込んだ土留め壁（図示省略）を用いて掘り下げて構築した立坑４２０（４２０ａ，４２０ｂ）間の軌道２００下の地山４００を貫通する構造物である。
【００４３】
そして、地下横断構造物３００は、図１及び２に示すように、正面視横長四角形状に配置した角型鋼製エレメント１０を連結し、その内部を掘削して構築している。  
角型鋼製エレメント１０は、図３及び図５に示すように、三方向が少なくとも板材で囲われ、連結方向後側Ｘｂに向かって凹状となる断面凹型の略四角形型に形成され、後述する連結継手１１で連結方向Ｘに連結可能に構成するとともに、所定の長さに形成している。そして、所定の長さに形成した角型鋼製エレメント１０を複数、長さ方向（挿入方向）Ｌにおいて、接続部材（図支省略）で接続して、地下横断構造物３００の長さを確保する構成である。
【００４４】
なお、連結方向Ｘは、地下横断構造物３００の上床部３００ａ及び下床部３００ｂを構成する角型鋼製エレメント１０の場合、地下横断構造物３００の構造幅３００Ｗの方向と一致し、地下横断構造物３００の側壁部３００ｃを構成する角型鋼製エレメント１０の場合、地下横断構造物３００の構造高さ３００Ｈの方向と一致する。
【００４５】
したがって、連結方向Ｘに対して直交する交差方向Ｙは、地下横断構造物３００の上床部３００ａ及び下床部３００ｂを構成する角型鋼製エレメント１０の場合、地下横断構造物３００の高さ方向（３００Ｈ）と一致し、地下横断構造物３００の側壁部３００ｃを構成する角型鋼製エレメント１０の場合、地下横断構造物３００の幅方向（３００Ｗ）と一致する。
【００４６】
角型鋼製エレメント１０は、概略的に、連結方向Ｘに対して直交する交差方向Ｙに所定の間隔を隔てて配置し、両端に連結継手１１を有する２枚のフランジ板１２と、２枚のフランジ板１２を連結する交差方向Ｙのウェブ板１３とで構成し、フランジ板１２、ウェブ板１３によって囲まれた内部空間１５を形成している。
【００４７】
角型鋼製エレメント１０は、図５（ａ）に示すように、地下横断構造物３００の上床部３００ａ及び下床部３００ｂを構成するテーパーエレメント１０ａと、図５（ｂ）に示すように、地下横断構造物３００の側壁部３００ｃを構成する一般エレメント１０ｂと、図５（ｃ）に示す隅角部エレメント１０ｃと、図５（ｄ）に示す基準エレメント１０ｄと、図５（ｃ）に示す閉合エレメント１０ｅとがある。
【００４８】
なお、図５（ａ）、（ｆ）には、連結方向Ｘが正面視右側となる状態を図示し、５（ｂ）には、連結方向Ｘが正面視下側となる状態を図示し、図５（ｃ）には、地下横断構造物３００の正面視右上隅角部に配置される隅角部エレメント１０ｃについて図示している。
【００４９】
テーパーエレメント１０ａは、連結方向Ｘに対して直交する交差方向Ｙに所定の間隔を隔てて配置し、両端に連結継手１１（１１ａ、１１ｂ）を有する２枚のフランジ板１２ａと、２枚のフランジ板１２ａを連結する交差方向Ｙのウェブ板１３ａと、ウェブ板１３ａと平行、挿入方向Ｌに所定間隔を隔てて配置した形状保持板１４ａで構成し、フランジ板１２ａ、ウェブ板１３ａ及び形状保持板１４ａによって囲まれた内部空間１５ａを形成している。
【００５０】
フランジ板１２ａの連結方向前側Ｘａに設けられた先端側連結継手１１ａは、後続の角型鋼製エレメント１０の基端側連結継手１１ｂが嵌合する交差方向Ｙの内向きに突出する略Ｃ型の継手であり、フランジ板１２の連結方向後側Ｘｂに設けられた基端側連結継手１１ｂは、挿入済みの角型鋼製エレメント１０の先端側連結継手１１ａが嵌合する交差方向Ｙの外向きに突出する略Ｃ型の継手である。  
なお、連結方向Ｘの両側の先端側連結継手１１ａと基端側連結継手１１ｂにおいて、先端側連結継手１１ａ及び基端側連結継手１１ｂとが嵌合される嵌合中心位置同士の間隔をエレメント幅１０Ｗとしている。
【００５１】
フランジ板１２ａは、エレメント幅１０Ｗが挿入方向基端側Ｌｂのエレメント基端幅１０Ｗｂからエレメント先端幅１０Ｗａに向かって徐々に変化する平面視台形状である。  
詳しくは、フランジ板１２ａの連結方向Ｘの先端側（以下において連結方向前側Ｘａという）が挿入方向Ｌに沿い、連結方向Ｘの基端側（以下において連結方向後側Ｘｂ）が挿入方向基端側Ｌｂから挿入方向先端側Ｌａに向かって徐々に広がる方向に傾斜する平面視台形状である。
【００５２】
そのため、連結方向前側Ｘａの先端側連結継手１１ａは挿入方向Ｌに沿い、挿入方向先端側Ｌａに向かって連結方向後側Ｘｂに傾斜する基端側連結継手１１ｂが連結方向後側Ｘｂに配置され、形状保持板１４ａから基端側連結継手１１ｂの先端までの距離が挿入方向先端側Ｌａに向かって徐々に広がる。  
したがって、テーパーエレメント１０ａは、先端側連結継手１１ａ及びウェブ板１３ａが挿入方向Ｌに沿って配置された片テーパー状に形成されている。
【００５３】
一般エレメント１０ｂは、地下横断構造物３００における側壁部３００ｃを構成するエレメントであり、交差方向Ｙに所定の間隔を隔てて配置し、連結方向後側Ｘｂに基端側連結継手１１ｂを有する２枚のフランジ板１２ｂと、２枚のフランジ板１２Ｂを連結する交差方向Ｙのウェブ板１３ｂと、ウェブ板１３ｂと平行、挿入方向Ｌに所定間隔を隔てて配置した形状保持板１４ｂで構成し、先端側連結継手１１ａがウェブ板１３ｂと形状保持板１４ｂとの連結方向前側Ｘａ（交差方向Ｙ）に設けられ、フランジ板１２ｂ、ウェブ板１３ｂ及び形状保持板１４ｂによって囲まれた内部空間１５ｂを形成している。
【００５４】
一般エレメント１０ｂにおいて、先端側連結継手１１ａと基端側連結継手１１ｂとは平行に配置されることとなり、フランジ板１２ｂは、上述のフランジ板１２ａと異なり、エレメント幅１０Ｗが挿入方向基端側Ｌｂのエレメント基端幅１０Ｗｂからエレメント先端幅１０Ｗａまで変化しない平面視長方形状である。  
なお、一般エレメント１０ｂは、側壁部３００ｃのみならず、上床部３００ａや下床部３００ｂにおいてテーパーエレメント１０ａとともに用いてもよい。
【００５５】
隅角部エレメント１０ｃは、地下横断構造物３００における隅角部を構成するエレメントであり、交差方向Ｙに所定の間隔を隔てて配置し、連結方向後側Ｘｂに基端側連結継手１１ｂを有する２枚のフランジ板１２ｃと、２枚のフランジ板１２ｃを連結する交差方向Ｙのウェブ板１３ｃと、ウェブ板１３ｃと平行、挿入方向Ｌに所定間隔を隔てて配置した形状保持板１４ｃで構成し、先端側連結継手１１ａがウェブ板１３ｃと形状保持板１４ｃとの連結方向前側Ｘａ（交差方向Ｙ）に設けられ、フランジ板１２ｃ、ウェブ板１３ｃ及び形状保持板１４ｃによって囲まれた内部空間１５ｃを形成している。
【００５６】
なお、ウェブ板１３ｃは、フランジ板１２ｃと直交し、フランジ板１２ｃとともに外殻を構成している。  
先端側連結継手１１ａは内向きの略Ｃ型の継手であり、フランジ板１２の連結方向後側Ｘｂに設けられた基端側連結継手１１ｂは、挿入済みの角型鋼製エレメント１０の先端側連結継手１１ａが嵌合する外向きの略Ｃ型の継手であり、先端側連結継手１１ａと基端側連結継手１１ｂとは交差する方向に配置されることとなる。  
【００５７】
フランジ板１２ｃは、上述のフランジ板１２ａと同様に、エレメント幅１０Ｗが挿入方向基端側Ｌｂのエレメント基端幅１０Ｗｂからエレメント先端幅１０Ｗａに向かって徐々に変化する平面視台形状であり、ウェブ板１３ｃが挿入方向Ｌに沿って配置された片テーパー状に形成されている。
【００５８】
基準エレメント１０ｄは、最初に地山に挿入されるエレメントであり、図５（ｄ）に示すように、交差方向Ｙに所定の間隔を隔てて配置し、連結方向Ｘの両側に先端側連結継手１１ａを有する２枚の平面視矩形状のフランジ板１２ｄと、連結方向Ｘに所定間隔を隔てて配置され、２枚のフランジ板１２ｄを連結する交差方向Ｙの２枚のウェブ板１３ｄとで構成し、内向きの略Ｄ型の継手である先端側連結継手１１ａがフランジ板１２ｄの両側に設けられ、フランジ板１２ｄ及びウェブ板１３ｄによって囲まれた内部空間１５ｄを形成している。
【００５９】
なお、連結方向Ｘの両側に先端側連結継手１１ａは平行に配置されることとなり、フランジ板１２ｄは、上述のフランジ板１２ａと異なり、エレメント幅１０Ｗが挿入方向基端側Ｌｂのエレメント基端幅１０Ｗｂからエレメント先端幅１０Ｗａまで変化しない平面視長方形状である。
【００６０】
閉合エレメント１０ｅは、最後に挿入し、構造物として環状に閉合するエレメントであり、図５（ｅ）に示すように、連結方向Ｘの両側に配置した内向きの略Ｄ型の継手である基端側連結継手１１ｂを連結部材１７で連結するとともに、交差方向Ｙに所定の間隔を隔てて配置し、閉合エレメント１０ｅの連結方向Ｘの両側の既挿入の角型鋼製エレメント１０の先端側連結継手１１ａより連結方向Ｘの外側を跨いで、交差方向Ｙの外側を覆うフランジカバー１８が配置されている。そして、交差方向Ｙに所定間隔を隔てて配置されたフランジカバー１８と、連結方向Ｘの両側の既挿入角型鋼製エレメント１０とによって内部空間１５ｅを形成している。
【００６１】
このように構成した角型鋼製エレメント１０は、図５（ｆ）に示すように、既に挿入された挿入済みの角型鋼製エレメント１０の先端側連結継手１１ａと、後続の角型鋼製エレメント１０の基端側連結継手１１ｂとを嵌合させて連結している。
【００６２】
また、連結継手１１によって連結された隣接する角型鋼製エレメント１０同士の間には、挿入済みの角型鋼製エレメント１０の形状保持板１４と、後続の角型鋼製エレメント１０のウェブ板１３と、フランジ板１２の連結継手１１によって囲まれた連結空間１６が構成されるが、テーパーエレメント１０ａ同士を連結した場合、形状保持板１４ｂから基端側連結継手１１ｂの先端までの距離が挿入方向先端側Ｌａに向かって徐々に広がるため、連結空間１６も挿入方向先端側Ｌａに向かって徐々に広がることとなる。
【００６３】
このような連結空間１６に配置される、つまり、テーパーエレメント１０ａにおける連結方向前側Ｘａに配置される補助カバー３０について、図６とともに説明する。  
補助カバー３０は、テーパーエレメント１０ａにおける連結方向前側Ｘａに直脱自在に設けられ、幅広のエレメント先端幅１０Ｗａとの差分に対応するカバー幅３０Ｗを有し、テーパーエレメント１０ａの交差方向Ｙに所定間隔を隔てて配置された先端側連結継手１１ａ同士の間に配置され、先端側連結継手１１ａ同士の間から連結方向前側Ｘａに突出する形状である。
【００６４】
詳述すると、補助カバー３０は、Ｌ型アングルで構成する挿入方向Ｌの枠材３１と、連結方向前側Ｘａの外側面３２と、交差方向Ｙの上の先端側連結継手１１ａに内側から係止する上係止部３３と、交差方向Ｙの下の先端側連結継手１１ａの上部に載置するように係止する下係止部３４と、交差方向Ｙにおいて所定間隔を隔て、ウェブ板１３から固定する固定アーム３５とで構成している。
【００６５】
このような構成の補助カバー３０は、挿入方向基端側Ｌｂのエレメント基端幅１０Ｗｂから挿入方向先端側Ｌａのエレメント先端幅１０Ｗａまで徐々に広がる片テーパー状のテーパーエレメント１０ａの連結方向前側Ｘａに配置され、幅広のエレメント先端幅１０Ｗａとの差分に対応するカバー幅３０Ｗを有しているため、幅狭のエレメント基端幅１０Ｗｂである挿入方向基端側Ｌｂにおいて幅広のカバー幅３０Ｗｂ（図６（ｂ）参照）から、幅広のエレメント先端幅１０Ｗａである挿入方向先端側Ｌａにおいて幅狭のカバー幅３０Ｗａ（図６（ａ）参照）に向かって徐々に幅狭となる先細りの片テーパー状に構成している。
【００６６】
そのため、補助カバー３０は、幅狭のエレメント基端幅１０Ｗｂである挿入方向基端側Ｌｂから幅広のエレメント先端幅１０Ｗａである挿入方向先端側Ｌａに向かって、先端側連結継手１１ａからの突出量が徐々に少なくなり、補助カバー３０が連結方向前側Ｘａに装着されたテーパーエレメント１０ａ、見かけ上、挿入方向Ｌにおいてエレメント幅１０Ｗが変化しない略矩形状となる。なお、補助カバー３０は、挿入方向Ｌにおいて、テーパーエレメント１０ａの長さより短い適宜の長さに形成されている。
【００６７】
次に、このように構成した角型鋼製エレメント１０を用いて地下横断構造物３００を構築する構築方法について説明する。  
上述の角型鋼製エレメント１０は、仮設構造物ではなく、地下横断構造物３００の本体の構造部材として本設利用される。したがって、フランジ板１２の交差方向Ｙの間隔、つまりウェブ板１３や形状保持板１４の交差方向Ｙの長さは、内部空間１５及び連結空間１６に充填するコンクリートとともに、地下横断構造物３００の上床部、下床部３００ｂあるいは側壁部３００ｃとして、作用する荷重に耐える間隔で構成されている。また、角型鋼製エレメント１０のエレメント幅１０Ｗ、つまりフランジ板１２の連結方向Ｘの長さは、構築する地下横断構造物３００の高さや幅寸法に応じて割り付けて決定する。
【００６８】
なお、本明細書では、テーパーエレメント１０ａ、一般エレメント１０ｂ、基準エレメント１０ｄ、隅角部エレメント１０ｃ及び閉合エレメント１０ｅで断面横長四角形状の地下横断構造物３００を構築することについて説明しているが、テーパーエレメント１０ａ、一般エレメント１０ｂ、基準エレメント１０ｄ、隅角部エレメント１０ｃ及び閉合エレメント１０ｅを適宜用いて、横一文字状配置、または縦一列配置、Ｔ字状配置、門型配置またはＬ型配置にして地下横断構造物３００を構築してもよい。
【００６９】
さらには、台形断面や帯状円弧型のテーパーエレメント１０ａ、一般エレメント１０ｂ、基準エレメント１０ｄ及び閉合エレメント１０ｅを用いて、円形断面や円弧状断面の地下横断構造物３００を構築してもよい。
【００７０】
このような構成の角型鋼製エレメント１０（以下において、角型鋼製エレメント１０には、矛盾がない限りテーパーエレメント１０ａ、一般エレメント１０ｂ、基準エレメント１０ｄ、隅角部エレメント１０ｃ及び閉合エレメント１０ｅを含むものとする）は、図８に示すように、挿入済みの角型鋼製エレメント１０に対して、挿入方向先端側Ｌａに刃口２０を装着し、刃口２０の内部で掘削作業員が掘削する人力掘削によって、刃口２０の前方の地山４００を掘削しながら、到達側立坑４２０ｂから１次けん引ワイヤー２５ａでけん引して地山４００に挿入する構成である。
【００７１】
刃口２０は、連結方向Ｘの基端側に連結継手２１を備えたフランジ板２２と、交差方向Ｙに向いたウェブ板２３とで構成し、フランジ板２２、及びウェブ板２３によって囲まれた作業空間２４を形成している。  
なお、刃口２０は、テーパーエレメント１０ａの挿入方向先端側Ｌａに接続され、テーパーエレメント１０ａのエレメント先端幅１０Ｗａに対応する幅で構成されている。
【００７２】
また、刃口２０は、図示省略するが、フランジ板２２の先端にカッターを備えるとともに、連結方向前側Ｘａのウェブ板２３にサイドカッターを備え、さらには刃口２０をけん引する１次けん引ワイヤー２５ａの後端をクランプする１次クランプ２５を備えている。さらにまた、図示省略するが、ウェブ板２３における挿入方向基端側Ｌｂの連結方向前側Ｘａには、次の角型鋼製エレメント１０をけん引するための２次けん引ワイヤーの先端をクランプする２次クランプを備えている。
【００７３】
このように構成された角型鋼製エレメント１０や刃口２０を用いて角型鋼製エレメント１０を挿入するエレメント挿入方法及び地中構造物構築方法は、まず図４に示すように、地下横断構造物３００を構築する挿入方向Ｌの両側に立坑４２０（４２０ａ，４２０ｂ）を構築するとともに、それぞれにエレメント挿入のための設備を設置し、挿入する角型鋼製エレメント１０をセットする（準備工：ステップｓ１）。
【００７４】
地山４００に対して、所定の位置に基準エレメント１０ｄを最初に挿入し（ステップｓ２：図９（ａ）参照）、挿入された基準エレメント１０ｄの先端側連結継手１１ａに対して基端側連結継手１１ｂを連結しながらテーパーエレメント１０ａなどの角型鋼製エレメント１０を挿入する（ステップｓ３：図９（ｂ），（ｃ）参照）。
【００７５】
これを繰り返すが、連結した挿入済みの角型鋼製エレメント１０がテーパーエレメント１０ａであって、連結空間１６に補助カバー３０が存在している場合（ステップｓ４：Ｙｅｓ）、図８及び図１０（ａ）に示すように、補助カバー３０の挿入方向基端側Ｌｂのテーパーエレメント１０ａの形状保持板１４ａ同士の間から、挿済みの入テーパーエレメント１０ａの連結方向前側Ｘａに配置された補助カバー３０を後続のテーパーエレメント１０ａの内部に取外しながら挿入する（ステップｓ５：図１０（ｂ）参照）。
【００７６】
挿入方向Ｌにおいて、当該角型鋼製エレメント１０の挿入が完了すると、図５（ｇ）に示すように、挿入済みの角型鋼製エレメント１０の先端側連結継手１１ａと、挿入する後続の角型鋼製エレメント１０の基端側連結継手１１ｂとが嵌合した嵌合状態における空間に継手グラウトＧを注入して、一体化する（ステップｓ６）。
【００７７】
地下横断構造物３００の構造に合わせて角型鋼製エレメント１０の挿入を繰り返し、最後に閉合エレメント１０ｅを挿入し、環状に閉合し（ステップｓ７）、角型鋼製エレメント１０の内部空間１５及び連結空間１６にコンクリートを充填する（ステップｓ８）。充填したコンクリートが硬化後、角型鋼製エレメント１０によって閉合された環状の内部を掘削するとともに（ステップｓ９）、舗装や坑門などを構築する仕上げを行って（ステップｓ１０）、地下横断構造物３００の構築を完了する。
【００７８】
なお、地下横断構造物３００全体の角型鋼製エレメント１０にコンクリート打設せず、上床部３００ａ、側壁部３００ｃ、及び下床部３００ｂのそれぞれの角型鋼製エレメント１０が挿入完了した際にそれぞれコンクリートを打設してもよい。
【００７９】
このように、地山４００に挿入された長尺状の角型鋼製エレメント１０に対して、連結継手１１で連結しながら連結方向Ｘに隣接する角型鋼製エレメント１０を地山４００に挿入するエレメント挿入工法として、挿入方向先端側Ｌａの端部（エレメント先端幅１０Ｗａ）から挿入方向基端側Ｌｂの端部（エレメント基端幅１０Ｗｂ）に向かって連結方向Ｘのエレメント幅１０Ｗが徐々に変化するテーパーエレメント１０ａにおける連結方向前側Ｘａに、エレメント先端幅１０Ｗａとの差分に対応するカバー幅３０Ｗの補助カバー３０を着脱自在に備え、テーパーエレメント１０ａの挿入方向Ｌの先端に配置した、エレメント先端幅１０Ｗａに対応する幅の刃口２０で地山４００を掘削し、補助カバー３０を連結方向前側Ｘａに装着したテーパーエレメント１０ａを地山４００に挿入するため、軸方向において構造断面が徐々に変化する地下横断構造物３００を効率よく、安全に構築することができる。
【００８０】
詳述すると、挿入方向先端側Ｌａの端部（エレメント先端幅１０Ｗａ）から挿入方向基端側Ｌｂの端部（エレメント基端幅１０Ｗｂ）に向かって連結方向Ｘのエレメント幅１０Ｗが徐々に変化するテーパーエレメント１０ａを挿入することで、軸方向において構造断面が徐々に変化する地下横断構造物３００を構築することができる。
【００８１】
また、挿入方向先端側Ｌａの端部（エレメント先端幅１０Ｗａ）から挿入方向基端側Ｌｂの端部（エレメント基端幅１０Ｗｂ）に向かって連結方向Ｘのエレメント幅１０Ｗが徐々に変化するテーパーエレメント１０ａに対して、エレメント先端幅１０Ｗａとの差分に対応するカバー幅３０Ｗを有する補助カバー３０を装着することによって、補助カバー３０が装着されたテーパーエレメント１０ａは、見かけのエレメント幅１０Ｗが変化しない略矩形状となる。
【００８２】
そして、テーパーエレメント１０ａを地山４００に挿入するために、刃口２０にて、エレメント先端幅１０Ｗａに対応する掘削幅で掘削した地山４００に対してテーパーエレメント１０ａを挿入すると、幅狭であるエレメント基端幅１０Ｗｂの幅に合わせて掘削した場合に比べて効率よく挿入することができるものの、エレメント基端幅１０Ｗｂに近づくにつれてテーパーエレメント１０ａと掘削箇所との間に生じる掘削幅方向（連結方向前側Ｘａ側）の空間が大きくなって掘削によって緩んだ周辺の地盤が崩落するおそれがあるが、補助カバー３０を装着して見かけのエレメント幅１０Ｗが変化しない矩形状となったテーパーエレメント１０ａを挿入すると、地山４００の掘削箇所に対して大きな空間が生じることなく、掘削によって緩んだ周辺の地盤が崩落するおそれもない。
【００８３】
このように、幅広のエレメント先端幅１０Ｗａに対応する掘削幅に合わせて掘削し、補助カバー３０を装着したテーパーエレメント１０ａを掘削箇所に挿入することで、掘削によって緩んだ周辺の地盤が崩落することもなく、効率よく挿入することができ、軸方向において構造断面が徐々に変化する地下横断構造物３００を効率よく、安全に構築することができる。
【００８４】
また、テーパーエレメント１０ａにおける挿入方向先端側Ｌａの端部を幅広のエレメント先端幅１０Ｗａとし、挿入方向基端側Ｌｂの端部を幅狭のエレメント基端幅１０Ｗｂとすることにより、幅広のエレメント先端幅１０Ｗａに対応する幅の刃口２０を装着する挿入方向先端側Ｌａの端部が幅広のエレメント先端幅１０Ｗａであるため、エレメント基端幅１０Ｗｂである挿入方向基端側Ｌｂの端部に刃口２０を装着する場合に比べて、テーパーエレメント１０ａに対して刃口２０を安定して装着することができる。
【００８５】
また、図８及び図１０（ａ）に示すように、ステップｓ５において、地山４００への挿入に伴って、挿入済みのテーパーエレメント１０ａに装着された補助カバー３０を取り外すため、幅広のエレメント先端幅１０Ｗａに対応する掘削幅で掘削した地山４００に既に挿入された挿入済みの角型鋼製エレメント１０に装着した補助カバー３０を、テーパーエレメント１０ａの挿入に伴って取り外すため、挿入済みの角型鋼製エレメント１０に装着した補助カバー３０の取外しによって掘削箇所に大きな空間が生じて周辺地盤が崩落することなく、後続のテーパーエレメント１０ａを挿入しながら安全に挿入済みのテーパーエレメント１０ａの補助カバー３０を取り外し、後続のテーパーエレメント１０ａの内部に取り込むことができる。
【００８６】
また、連結継手１１を、連結方向Ｘ及び挿入方向Ｌに対して交差する交差方向Ｙに所定の間隔を隔てて配置されるとともに、連結方向Ｘの両端部に備えられ、挿入方向Ｌに沿う断面略Ｃ字形の連結継手１１で構成し、エレメント幅１０Ｗを、連結方向Ｘの両端部に備えた連結継手１１同士の間隔とし、補助カバー３０が、交差方向Ｙに所定の間隔を隔てて配置された連結継手１１同士の間に配置されるとともに、連結方向前側Ｘａに突出するため、テーパーエレメント１０ａに作用するせん断力を連結継手１１で伝達でき、挿入したテーパーエレメント１０ａを本設構造物として用いることができる。
【００８７】
また、補助カバー３０が、交差方向Ｙに所定の間隔を隔てて配置された連結継手１１同士の間に配置されるとともに、連結方向前側Ｘａに突出するため、幅広のエレメント先端幅１０Ｗａとの差分に対応するカバー幅３０Ｗを有する補助カバー３０を容易に製造することができるとともに、テーパーエレメント１０ａに対して容易に着脱することができる。
【００８８】
また、テーパーエレメント１０ａを、連結方向Ｘ及び挿入方向Ｌに対して交差する交差方向Ｙに所定の間隔を隔てて配置された２枚のフランジ板１２ａと、連結方向前側Ｘａにおいて、２枚のフランジ板１２ａを交差方向Ｙに接続するウェブ板１３ａとで、矩形断面のうち三方向が少なくとも板材で囲われ、連結方向後側Ｘｂに向かって凹状となる断面凹型に形成しているため、所望の強度を有するテーパーエレメント１０ａを構成することができる。
【００８９】
また、テーパーエレメント１０ａが、矩形断面のうち三方向が少なくとも板材（１２ａ，１３ａ）で囲われ、連結方向後側Ｘｂに向かって凹状となる断面凹型であるため、挿入済みの角型鋼製エレメント１０の連結方向前側Ｘａに装着された補助カバー３０を、連結方向後側Ｘｂに向かって凹状である挿入中のテーパーエレメント１０ａから容易に取り外すことができる。
【００９０】
また、このようなエレメント挿入工法によって、地山４００にテーパーエレメント１０ａを連結しながら挿入し、角型鋼製エレメント１０内部にコンクリートを充填して地山４００内に構造物を構築するため、施工性よくテーパーエレメント１０ａを挿入し、軸方向において構造断面が徐々に変化する地下横断構造物３００を効率よく、安全に構築することができる。
【００９１】
この発明の構成と、上述の実施例との対応において、この発明のエレメントは角型鋼製エレメント１０に対応し、
以下同様に、
継手及び嵌合継手は連結継手１１（１１ａ，１１ｂ）に対応し、
掘削部は刃口２０に対応し、
連結交差方向は交差方向Ｙに対応し、
地中構造物は地下横断構造物３００に対応するも、
この発明は、上述の実施形態の構成のみに限定されるものではなく、多くの実施の形態を得ることができる。
【００９２】
例えば、人力掘削による刃口２０によって角型鋼製エレメント１０を挿入したが、駆動装置によって掘削するバケットを備えた機械式刃口としてもよい。さらには、刃口２０の代わりに、密閉型の掘削装置を用いてもよい。
【００９３】
また、上述の地下横断構造物３００は、軌道２００に対して交差する方向を挿入方向Ｌとしたが、図１１に示すように、軌道２００に対して斜角方向に角型鋼製エレメント１０を挿入して、挿入方向Ｌが軌道２００に対して斜交する地下横断構造物３００を構築してもよい。  
地下横断構造物３００は、新幹線等の軌道の下方を横断するアンダーパス構造物でなくとも、地下の共同溝等として構築しもよい。
【００９４】
また、上述の説明では、側壁部３００ｃを一般エレメント１０ｂで構成するように説明したが、側壁部３００ｃをテーパーエレメント１０ａで構成してもよいし、一般エレメント１０ｂで上床部３００ａや下床部３００ｂを構成する角型鋼製エレメント１０として、テーパーエレメント１０ａと一般エレメント１０ｂと組み合わせて構成してもよい。
【００９５】
さらには、すべてのテーパーエレメント１０ａが同じテーパー角度でなく、テーパー角度の異なるテーパーエレメント１０ａを組み合わせて上床部３００ａ及び下床部３００ｂを構成してもよいし、テーパー角度を有する基準エレメント１０ｄを用いてもよい。また、テーパーエレメント１０ａは連結方向後側Ｘｂが挿入方向Ｌに対して斜めのテーパー面となる片テーパー状として説明したが、連結方向後側Ｘｂ及び連結方向前側Ｘａの両方が挿入方向Ｌに対して斜めのテーパー面となる両テーパー状であってもよい。
【００９６】
さらには、２枚のフランジ板１２ａと、連結方向前側Ｘａに配置したウェブ板１３ａとで、矩形断面のうち三方向が少なくとも板材で囲われ、連結方向後側Ｘｂに向かって凹状となる断面凹型のテーパーエレメント１０ａについて説明したが、ウェブ板１３ａを連結方向後側Ｘｂに配置し、連結方向前側Ｘａに向かって凹状となる断面凹型、つまり逆コの字側のテーパーエレメントであってもよい。
【００９７】
なお、この場合、連結方向前側Ｘａに形状保持板１４ａが配置され、逆コの字型の開放部分が地山４００に向くが、連結方向前側Ｘａには補助カバー３０が配置され、地山４００が開放されることはなく、後続の角型鋼製エレメント１０の挿入に伴って、既挿入テーパーエレメント１０ａの補助カバー３０を既挿入テーパーエレメント１０ａの内部に取り込むようにすることで、上述の効果を奏することができる。
【００９８】
また、上述の説明では、角型鋼製エレメント１０を到達側立坑４２０ｂから１次けん引ワイヤー２５ａでけん引して、地山４００に角型鋼製エレメント１０を挿入したが、発進側立坑４２０ａから角型鋼製エレメント１０をジャッキなどで元押して、角型鋼製エレメント１０を地山４００に挿入してもよい。
【符号の説明】
【００９９】
１０…角型鋼製エレメント
１０ａ…テーパーエレメント
１０Ｗ…エレメント幅
１０Ｗａ…エレメント先端幅
１０Ｗｂ…エレメント基端幅
１１…連結継手
１１ａ…先端側連結継手
１１ｂ…基端側連結継手
１２ａ…フランジ板
１３ａ…ウェブ板
２０…刃口
３０…補助カバー
３０Ｗ…カバー幅
３００…地下横断構造物
４００…地山
Ｌ…挿入方向
Ｌａ…挿入方向先端側
Ｌｂ…挿入方向基端側
Ｘ…連結方向
Ｘａ…連結方向前側
Ｘｂ…連結方向後側
Ｙ…交差方向
【図１】
2018025043.tif 000003
【図２】
2018025043.tif 000004
【図３】
2018025043.tif 000005
【図４】
2018025043.tif 000006
【図５】
2018025043.tif 000007
【図６】
2018025043.tif 000008
【図７】
2018025043.tif 000009
【図８】
2018025043.tif 000010
【図９】
2018025043.tif 000011
【図１０】
2018025043.tif 000012
【図１１】
2018025043.tif 000013